(57)【要約】【課題】モータ等を冷却する冷却風の吸引損失の低減を図ることで冷却効率を改善し、高効率で長寿命の電動送風機を提供する。【解決手段】冷却ファン８とモータ２側を仕切る仕切り部材９の吸込口９ａの中央部に、モータフレーム１の開口部に固定されたブラケット５の中央部に設けた軸受ハウジング５ａの外周部に密着する送風ガイド９ｂを設けることにより、冷却ファン８により吸引された空気は送風ガイド９ｂに沿って方向を変えることなく冷却ファン８内に流入する。【選択図】        図１
2004197587.tif 000002
【特許請求の範囲】
【請求項１】
上部が開口され側面に通気孔を有し底部中央部に軸受ハウジングが設けられたモータフレームと、該モータフレームの開口部側に固定され中央部に軸受ハウジングが設けられたブラケットと、前記モータフレームとブラケットの軸受ハウジングに支持された回転子及び固定子とからなるモータと、前記ブラケットの上方においてモータの軸に固定され吸引した空気を周縁から排出する送風ファンと、該送風ファンのモータ側に固定され前記モータフレームの通気孔から吸引した空気を周縁から排出する冷却ファンと、中央部に吸込口が設けられ前記冷却ファンとモータ側を仕切る仕切り部材とを備えた電動送風機において、
前記仕切り部材の吸込口の中央部に前記ブラケットに設けた軸受ハウジングの外周部に密着する送風ガイドを設けたことを特徴とする電動送風機。
【請求項２】
前記仕切り部材の吸込口と送風ガイドとの間に両者を連結する複数のリブを設けたことを特徴とする請求項１記載の電動送風機。
【発明の詳細な説明】
【０００１】
【発明の属する技術分野】
本発明は、電気掃除機等に使用される電動送風機に関するものである。
【０００２】
【従来の技術】
従来のこの種電動送風機に、一対のブラケットにより固定された固定子と、固定子の中に設けられ一方がブラケットから長手方向に延びた出力軸を有する回転子と、その出力軸に取り付けられた回転ファンと、前記固定子及び回転子と前記回転ファンとの間を仕切るように取り付けられたエアガイドと、前記回転ファン及びエアガイドを覆うように取り付けられた外周部に複数個の風穴の開いたファンケースから構成された電動送風機において、吸気口が電動送風機の外側を向き外気を吸引する送風用回転ファンと、吸気口が電動送風機の内側を向き送風機内の空気を吸引する冷却用回転ファンとを近接して配置させ、各々の回転ファンから排出される風が共通のファンケース外周部の風穴から排出するようにしたものがある（例えば、特許文献１参照）。
【０００３】
【特許文献１】
特開２００２−３１０９０号公報（第３頁、図１）
【０００４】
【発明が解決しようとする課題】
特許文献１に記載された電動送風機においては、冷却用回転ファンにより固定子及び回転子側より冷却風を吸引する際、冷却ファンと固定子及び回転子側を仕切る仕切り部材の吸込口は、ブラケットの中央に設けられた軸受ハウジング部に隣接しているため、十分な風路が確保されていないと共に、そこを流れる空気は、ブラケットの軸受ハウジング部の形状に沿う形で方向を変えながら吸込口に流れ込むため損失が生じ、モータ部を冷却するのに十分な風量が得られないという問題があった。
【０００５】
本発明は、上記の課題を解決するためになされたもので、モータ等を冷却する冷却風の吸引損失の低減を図ることで冷却効率を改善し、高効率で長寿命の電動送風機を提供することを目的としたものである。
【０００６】
【課題を解決するための手段】
本発明は、上部が開口され側面に通気孔を有し底部中央部に軸受ハウジングが設けられたモータフレームと、該モータフレームの開口部側に固定され中央部に軸受ハウジングが設けられたブラケットと、前記モータフレームとブラケットの軸受ハウジングに支持された回転子及び固定子とからなるモータと、前記ブラケットの上方においてモータの軸に固定され吸引した空気を周縁から排出する送風ファンと、該送風ファンのモータ側に固定され前記モータフレームの通気孔から吸引した空気を周縁から排出する冷却ファンと、中央部に吸込口が設けられ前記冷却ファンとモータ側を仕切る仕切り部材とを備えた電動送風機において、前記仕切り部材の吸込口の中央部に前記ブラケットに設けた軸受ハウジングの外周部に密着する送風ガイドを設けたものである。
【０００７】
【発明の実施の形態】
図１は本発明の一実施の形態に係る電動送風機の一部縦断面図、図２は図１の要部の拡大図、図３は図１の仕切り部材とブラケットとの関係を示す平面図である。
図において、モータフレーム１は上部が開口され側面に複数の通気孔１ａを有し、底部中央部に凹状の軸受ハウジング１ｂが設けられており、内部には固定子３と高速で回転する回転子４とからなるモータ２が設置されている。
【０００８】
また、モータフレーム１の上部開口部に固定されたブラケット５は、中央部に軸受ハウジング５ａを有し、その周囲には第１の通気口５ｂが設けられ、さらに通気孔５ｂの外周でモータフレーム１の外周には複数の第２の通気孔５ｃが設けられている。そして、モータ２は、回転子４の軸４ａの両端に設けた軸受６が、モータフレーム１及びブラケット５の軸受ハウジング１ａ，５ａによって支持されている。また、中央部に吸引口７ａを有する送風ファン７は、回転子４の軸４ａに固定されて回転子４と共に回転する。８は中央部に吸込口８ａを有し、送風ファン７の背面側（モータ２側）に固定された冷却ファンである。
【０００９】
モータ２と冷却ファン７を仕切る仕切り部材９は、冷却ファン８の吸込口８ａとほぼ等しい径の吸込口９ａを有し、この吸込口９ａの中央部にはブラケット５の軸受ハウジング５ａの外周に密着する送風ガイド９ｂが設けられており、この送風ガイド９ｂは複数のリブ９ｃにより仕切り部材９と一体的に連結されている。また、ブラケット５の第１の通気口５ｂと第２の通気口５ｃとを仕切る円筒状の脚部９ｄを有し、この脚部９ｄの背面側には、冷却ファン８から排出された空気を、ブラケット５の第２の通気口５ｃへ案内する複数のブレード９ｅが設けられている。
【００１０】
送風ファン７側と冷却ファン８側を仕切るケーシング１０は、仕切り部材９のブレード９ｅの上面に当接され、ブラケット５の外周部に圧入して固定されており、中央部には開口部１０ａが設けられている。１１は案内羽根で、ケーシング１０の外周部上面に固定され、送風ファン７から吐出された空気を外周方向へ導く。送風ファン７及び案内羽根１１を覆うファンカバー１２は、中央部に吸引口１２ａを有し、側面には案内羽根１１から外周方向へ案内された空気を外部へ排出する複数の排気孔１２ｂが設けられている。
【００１１】
上記のように構成した電動送風機において、モータ２を駆動すると、回転子４の軸４ａに取り付けけた送風ファン７及び冷却ファン８が回転し、外気を吸引する。そして、送風ファン７の吸引口７ａから吸引された空気は、図中矢印Ａで示すように、送風ファン７の内部を通り、案内羽根１１で整流されて圧力を回復しながらファンカバー１２の側面に設けた排気口１２ｂから外部へ排出される。
【００１２】
一方、冷却ファン８によって吸引された空気は、図中矢印Ｂで示すように、モータフレーム１の通気口１ｂから流入し、固定子３、回転子４等を冷却しながら、仕切り部材９の送風ガイド９ｂの外周に設けた吸込口９ａから冷却ファン８の吸込口８ａに流入し、冷却ファン８の内部を通って外周部から流出し、ブレード９ｅに案内されてブラケット５の第２の通気口５ｃから外部に排出される。
【００１３】
本発明によれば、仕切り部材９の中央部に、ブラケット５の軸受ハウジング５ａの外周部に密着する送風ガイド９ｂを設けたので、冷却ファン８により吸引された空気は送風ガイド９ｂに沿って、方向を変えることなく冷却ファン８内に流入することができる。このため、従来、流れ方向を変えることによって生じていた損失を低減することができ、冷却風量を増加することができる。これにより、高い冷却効果が得られるため、温度上昇によるモータ２の劣化を防止することができ、長寿命の電動送風機を得ることができる。
【００１４】
また、仕切り部材９の吸込口９ａの内壁と送風ガイド９ｂの外壁との間に、複数のリブ９ｃを設けたので、吸引された空気はこのリブ９ｃにより整流されながら冷却ファン８の吸込口８ａに流入するため、さらに高風量を得ることができ、冷却効果を高めることができる。
なお、図４に示すように、断面矩形状のリブ９ｃの上下面９ｆ，９ｇをＲ形状にすることにより、より高い整流効果を得ることができる。
【００１５】
さらに、仕切り部材９に設けた送風ガイド９ｂは、ブラケット５の軸受ハウジング５ａの外周に密着して固定されているため、回転子４及び送風ファン７が高速で回転する際に発生する振動が、軸受ハウジング５ａからモータ２の外郭へ伝わるのを抑制することができるので、低振動の電動送風機を得ることができる。
【００１６】
【発明の効果】
本発明に係る電動送風機は、冷却ファンとモータ側を仕切る仕切り部材の吸込口の中央部に、モータフレームの開口部に固定されたブラケットの中央部に設けた軸受ハウジングの外周部に密着する送風ガイドを設けたので、冷却ファンにより吸引された空気は送風ガイドに沿って、方向を変えることなく冷却ファン内に流入することができるため、従来、流れ方向を変えることによって生じていた損失を低減することができ、冷却風量を増加することができる。これにより高い冷却効果が得られため温度上昇によるモータの劣化を防止することができ、長寿命の電動送風機を得ることができる。
【図面の簡単な説明】
【図１】本発明の一実施の形態に係る電動送風機の一部縦断面図である。
【図２】図１の要部の拡大図である。
【図３】図１の仕切り部材とブラケットとの関係を示す平面図である。
【図４】図３のＸ−Ｘ拡大断面図である。
【符号の説明】
１  モータフレーム、１ａ  通気孔、１ｂ  軸受ハウジング、２  モータ、５ブラケット、５ａ  軸受ハウジング、７  送風ファン、８  冷却ファン、９  仕切り部材、９ａ  吸込口、９ｂ  送風ガイド、９ｃ  リブ、１０  ケーシング、１２  ファンカバー。
【図１】
2004197587.tif 000003
【図２】
2004197587.tif 000004
【図３】
2004197587.tif 000005
【図４】
2004197587.tif 000006